【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
複数のキーを備え、前記複数のキー操作に応じた操作信号を送出するリモートコントローラと接続された状態で前記操作信号に応答して動作する電子機器において、
前記電子機器本体に備えられた複数の本体キーと、
前記複数の本体キーのキー操作に応じた操作信号を出力する信号出力手段と、
前記リモートコントローラから送出された操作信号を受信する受信手段と、
前記受信手段で受信した操作信号と、前記信号出力手段から出力された操作信号と、に応答して動作する制御手段と、
前記複数のキーに含まれ、前記リモートコントローラのキー操作の受け付けを無効にすることを指示するためのホールドキーが操作されることに応じて前記リモートコントローラから送出されたホールド信号を前記操作信号として前記受信手段が受信すると、前記本体キーのキー操作の受け付けを無効に制御するホールド制御手段と、
を備えることを特徴とする電子機器。
【請求項２】
コンテンツを再生する再生手段を更に備え、
前記ホールド制御手段は、前記受信手段が前記リモ−トコントローラからの操作信号として前記ホールド信号を受信すると、前記複数の本体キーのうち前記再生手段を制御するための本体キーのキー操作の受け付けを無効に制御することを特徴とする請求項１に記載の電子機器。
【請求項３】
前記本体キーのキー操作の受け付けを無効にすることを指示するための本体ホールドキーを更に備え、
前記ホールド制御手段は、前記本体ホールドキーから前記本体キーのキー操作の受け付けを無効にする指示がないときに、前記受信手段が前記リモ−トコントローラからの操作信号として前記ホールド信号を受信すると、前記本体キーのキー操作の受け付けを無効に制御することを特徴とする請求項１又は２に記載の電子機器。
【請求項４】
外部からの操作信号に応答して動作する電子機器において、
複数のキーと、
前記複数のキーのキー操作に応じた操作信号を出力する信号出力手段と、
外部からの操作信号を受信する受信手段と、
前記受信手段で受信した操作信号と、前記信号出力手段から出力された操作信号と、に応答して動作する制御手段と、
前記受信手段が所定の操作信号を受信すると、前記複数のキーのキー操作の受け付けを無効に制御するホールド制御手段と、
を備えることを特徴とする電子機器。
【請求項５】
コンピュータに、
電子機器本体に備えられた複数の本体キーのキー操作に応じた操作信号を出力する信号出力機能、
前記電子機器に接続されたリモートコントローラから送出された操作信号を受信する受信機能、
前記受信した操作信号と、前記出力された操作信号と、に応答して動作する制御機能、
前記リモートコントローラが備える複数のキーに含まれ、前記リモートコントローラのキー操作の受け付けを無効にすることを指示するためのホールドキーが操作されることに応じて前記リモートコントローラから送出されたホールド信号を前記操作信号として受信すると、前記本体キーのキー操作の受け付けを無効に制御するホールド制御機能、
を実現させるためのプログラム。
【請求項６】
外部からの操作信号に応答して動作するコンピュータに、
複数のキーのキー操作に応じた操作信号を出力する信号出力機能、
外部からの操作信号を受信する受信機能、
前記受信機能により受信した操作信号と、前記信号出力機能により出力された操作信号と、に応答して動作する制御機能、
前記受信機能により所定の操作信号を受信すると、前記複数のキーのキー操作の受け付けを無効に制御するホールド制御機能、
を実現させるためのプログラム。
【手続補正２】
【補正対象書類名】明細書
【補正対象項目名】発明の名称
【補正方法】変更
【補正の内容】
【発明の名称】電子機器、及び、プログラム
【手続補正３】
【補正対象書類名】明細書
【補正対象項目名】０００１
【補正方法】変更
【補正の内容】
【０００１】
本発明は、所定のキー操作を無効にするホールド機能を備えた電子機器、及び、そのプログラムに関する。
【手続補正４】
【補正対象書類名】明細書
【補正対象項目名】０００４
【補正方法】変更
【補正の内容】
【０００４】
本発明は、上記問題点に鑑みてなされたもので、リモートコントローラと電子機器とのホールド機能を連動させる、ユーザの使い勝手のよい電子機器、及び、そのプログラムを提供することを目的とする。
【手続補正５】
【補正対象書類名】明細書
【補正対象項目名】０００５
【補正方法】変更
【補正の内容】
【０００５】
本発明の第１の観点にかかる電子機器は、複数のキーを備え、前記複数のキー操作に応じた操作信号を送出するリモートコントローラと接続された状態で前記操作信号に応答して動作する電子機器において、
前記電子機器本体に備えられた複数の本体キーと、
前記複数の本体キーのキー操作に応じた操作信号を出力する信号出力手段と、
前記リモートコントローラから送出された操作信号を受信する受信手段と、
前記受信手段で受信した操作信号と、前記信号出力手段から出力された操作信号と、に応答して動作する制御手段と、
前記複数のキーに含まれ、前記リモートコントローラのキー操作の受け付けを無効にすることを指示するためのホールドキーが操作されることに応じて前記リモートコントローラから送出されたホールド信号を前記操作信号として前記受信手段が受信すると、前記本体キーのキー操作の受け付けを無効に制御するホールド制御手段と、
を備えることを特徴とする。
【手続補正６】
【補正対象書類名】明細書
【補正対象項目名】０００６
【補正方法】変更
【補正の内容】
【０００６】
例えば、コンテンツを再生する再生手段を更に備え、
前記ホールド制御手段は、前記受信手段が前記リモ−トコントローラからの操作信号として前記ホールド信号を受信すると、前記複数の本体キーのうち前記再生手段を制御するための本体キーのキー操作の受け付けを無効に制御してもよい。
【手続補正７】
【補正対象書類名】明細書
【補正対象項目名】０００７
【補正方法】変更
【補正の内容】
【０００７】
例えば、前記本体キーのキー操作の受け付けを無効にすることを指示するための本体ホールドキーを更に備え、
前記ホールド制御手段は、前記本体ホールドキーから前記本体キーのキー操作の受け付けを無効にする指示がないときに、前記受信手段が前記リモ−トコントローラからの操作信号として前記ホールド信号を受信すると、前記本体キーのキー操作の受け付けを無効に制御してもよい。
【手続補正８】
【補正対象書類名】明細書
【補正対象項目名】０００８
【補正方法】変更
【補正の内容】
【０００８】
本発明の第２の観点に係る電子機器は、外部からの操作信号に応答して動作する電子機器において、
複数のキーと、
前記複数のキーのキー操作に応じた操作信号を出力する信号出力手段と、
外部からの操作信号を受信する受信手段と、
前記受信手段で受信した操作信号と、前記信号出力手段から出力された操作信号と、に応答して動作する制御手段と、
前記受信手段が所定の操作信号を受信すると、前記複数のキーのキー操作の受け付けを無効に制御するホールド制御手段と、
を備えることを特徴とする。
【手続補正９】
【補正対象書類名】明細書
【補正対象項目名】０００９
【補正方法】変更
【補正の内容】
【０００９】
本発明の第３の観点に係るプログラムは、コンピュータに、
電子機器本体に備えられた複数の本体キーのキー操作に応じた操作信号を出力する信号出力機能、
前記電子機器に接続されたリモートコントローラから送出された操作信号を受信する受信機能、
前記受信した操作信号と、前記出力された操作信号と、に応答して動作する制御機能、
前記リモートコントローラが備える複数のキーに含まれ、前記リモートコントローラのキー操作の受け付けを無効にすることを指示するためのホールドキーが操作されることに応じて前記リモートコントローラから送出されたホールド信号を前記操作信号として受信すると、前記本体キーのキー操作の受け付けを無効に制御するホールド制御機能、
を実現させることを特徴とする。
本発明の第４の観点に係るプログラムは、外部からの操作信号に応答して動作するコンピュータに、
複数のキーのキー操作に応じた操作信号を出力する信号出力機能、
外部からの操作信号を受信する受信機能、
前記受信機能により受信した操作信号と、前記信号出力機能により出力された操作信号と、に応答して動作する制御機能、
前記受信機能により所定の操作信号を受信すると、前記複数のキーのキー操作の受け付けを無効に制御するホールド制御機能、
を実現させることを特徴とする。
【手続補正１０】
【補正対象書類名】明細書
【補正対象項目名】００１０
【補正方法】変更
【補正の内容】
【００１０】
リモートコントローラと電子機器とのホールド機能を連動させることで、ユーザの使い勝手が向上する。